Podtech/llm-jp-corpus-v4-ja_patent huggingface dataset:
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】  下記工程を具備する、通信システムにおいて遠隔端末の位置を決定するための方法：
遠隔端末とアクティブ通信をしている１つ以上の基地局の第１セットを識別する；
レーキ受信器の少なくとも１つの指プロセッサを前記第１セットの各基地局に割当てる；
前記遠隔端末とアクティブ通信していない１つ以上の基地局の第２セットを識別する；
利用可能な指プロセッサを前記第２セットの少なくとも１つの基地局の各々に割当てる；
少なくとも１つの指プロセッサが割当てられた各基地局に対して時間測定を実行することであって、この実行することは、
前記基地局に対してマルチパスを処理してサンプルを処理することと、
前記サンプルを処理して特定の送信のための無線フレームの開始を決定することとを含み、
前記時間測定は前記無線フレームの開始を示す；および
指プロセッサが割当てられた基地局に対して得た時間測定を示す出力を供給する。
【請求項２】  前記時間測定は、前記第１および第２セットの基地局からの送信の到着時刻を示す、請求項１の方法。
【請求項３】  前記時間測定は、Ｗ−ＣＤＭＡ規格に従って割当てられた基地局のためのＳＦＮ−ＳＦＮ測定に相当する、請求項１の方法。
【請求項４】  前記割当てられた基地局に対する時間測定は時間的にほぼ同じ例において実行される、請求項１の方法。
【請求項５】  前記時間測定に基づいて割当てられた基地局対間の時間オフセットを決定する工程をさらに具備し、前記出力は決定された時間オフセットを示す、請求項１の方法。
【請求項６】  前記決定された時間オフセットに基づいて遠隔端末の位置を決定する工程をさらに具備する、請求項５の方法。
【請求項７】  前記遠隔端末の位置は三辺測量を用いて決定される、請求項６の方法。
【請求項８】  各割当てられた基地局に対する前記時間測定は、前記基地局に対して受信した最も早く到着するマルチパスに基づく、請求項１の方法。
【請求項９】  前記割当てられた基地局に対する前記時間測定は、特定のチャネルに関する送信に基づく、請求項１の方法。
【請求項１０】  前記特定のチャネルはブロードキャストチャネルである、請求項９の方法。
【請求項１１】  前記割当てられた基地局に対する前記時間測定は、前記基地局により送信されるパイロット基準に基づく、請求項１の方法。
【請求項１２】  前記時間測定は少なくとも３つの基地局または衛星に対して実行される、請求項１の方法。
【請求項１３】  前記時間測定は８チップまたはより細かい分解能で決定される、請求項１の方法。
【請求項１４】  前記時間測定は補間法を用いて実行され改良された分解能を得る、請求項１の方法。
【請求項１５】  前記通信システムはＷ−ＣＤＭＡ規格に準拠する、請求項１の方法。
【請求項１６】  下記工程を具備する、通信システムにおいて遠隔端末の位置を決定するための方法：
遠隔端末とアクティブ通信している１つ以上の基地局の第１セットを識別する；
レーキ受信器の少なくとも１つの指プロセッサを前記第１セットの各基地局に割当てる；
割当てられた指プロセッサを用いて前記第１セットの各基地局に対して時間測定を実行する；
前記遠隔端末とアクティブ通信していない１つ以上の基地局の第２セットを識別する；および
１つ以上の処理素子を用いて前記第２セットの各基地局に対して時間測定を実行する；および
前記第１および第２セットの基地局に対する時間測定は前記時間測定を実行するために使用される基準クロックのための制御信号の更新間で実行され、前記各実行することの少なくとも一つは、
前記基地局に対してマルチパスを処理してサンプルを処理することと、
前記サンプルを処理して特定の送信のための無線フレームの開始を決定することとを含み、
前記時間測定は前記無線フレームの開始を示す。
【請求項１７】  前記時間測定は前記第１および第２セットの基地局からの送信の到着時刻を示す、請求項１６の方法。
【請求項１８】  前記第２セットの基地局に対する時間測定は前記基地局により送信されるパイロット基準にもとづく、請求項１６の方法。
【請求項１９】  前記第２セットの基地局に対する時間測定は探索素子を用いて実行される、請求項１６の方法。
【請求項２０】  前記第２セットの前記基地局に対する前記時間測定はシーケンシャルに実行される、請求項１６の方法。
【請求項２１】  前記第２セットの前記基地局に対する前記時間測定は、前記制御信号の更新からの特定の遅延期間後に実行される、請求項１６の方法。
【請求項２２】  下記を具備する通信システムにおける遠隔端末：
受信した信号を受信し、処理し、２値化し、サンプルを供給するように動作する第１受信器；および
前記第１受信器と接続され、サンプルを受信して処理し、複数の基地局から遠隔端末において受信した送信の到着時刻を示す時間測定を供給するように動作するレーキ受信器；
前記レーキ受信器は複数の指プロセッサを含み、１つ以上の指プロセッサの第１セットが、前記遠隔端末とアクティブ通信する１つ以上の基地局の第１セットに割当てられ、１つ以上の指プロセッサの第２セットが、前記遠隔端末とアクティブ通信していない１つ以上の基地局の第２セットに割当てられ、前記第１および第２セットの基地局に割当てられた指プロセッサは、前記基地局から受信した送信に関して時間測定を実行するように動作する。
【請求項２３】  前記時間測定は、時間的にほぼ同じ例で実行される、請求項２２の遠隔端末。
【請求項２４】  各基地局に対する前記時間測定は前記基地局に対して受信した最も早く到着するマルチパスに基づく、請求項２２の遠隔端末。
【請求項２５】  前記基地局に対する前記時間測定は特定のチャネルに関する送信に基づく、請求項２２の遠隔端末。
【請求項２６】  下記を具備する通信システムにおける遠隔端末：
変調された信号を受信し、処理し、２値化し、サンプルを供給するように動作する第１受信器；および
前記第１受信器と接続され、サンプルを受信して処理し、複数の基地局から前記遠隔端末装置において受信した送信の到着時刻を示す時間測定を供給するように動作するレーキ受信器；前記レーキ受信器は、複数の指プロセッサを含み、１つ以上の指プロセッサが第１セットの各基地局に割当てられ、前記指プロセッサおよび探索素子は各々、前記第１および第２セットの各基地局に対して時間測定を実行するように動作し、前記第１および第２セットの基地局に対する時間測定は、前記時間測定を実行するために使用される基準クロックのための制御信号の更新間で実行される。
【請求項２７】  前記第２セットの１つ以上の基地局に対する時間測定はシーケンシャルに実行される、請求項２６の遠隔端末。
【請求項２８】  前記第２セットの基地局は、前記遠隔端末とアクティブ通信していない、請求項２６の遠隔端末。
【請求項２９】  前記第２セットの基地局に対する時間測定は前記基地局により送信されるパイロット基準に基づく、請求項２６の遠隔端末。
【手続補正書】
【提出日】平成15年7月30日(2003.7.30)
【手続補正１】
【補正対象書類名】明細書
【補正対象項目名】請求項６
【補正方法】変更
【補正の内容】
【請求項６】
前記移動機が、既に確立したＴＢＦ上で、所与の無線ベアラでの送信用に割り当てられたリソースを有していないとき、少なくとも前記移動機のクラス及び無線優先度をネットワーク内に格納することにより、高速アクセスを実現する請求項１記載の方法。
【手続補正２】
【補正対象書類名】明細書
【補正対象項目名】請求項１７
【補正方法】変更
【補正の内容】
【請求項１７】
前記移動機が、既に確立したＴＢＦ上で、所与の無線ベアラでの送信用に割り当てられたリソースを有していないとき、少なくとも前記移動機のクラス及び無線優先度をネットワーク内に格納することにより、高速アクセスを実現する請求項１２記載のシステム。
【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】  非オンデマンドメディアデータが非オンデマンドメディアデータソースによって提供され、且つ、オンデマンドメディアデータがオンデマンドメディアデータソースによって提供され、該非オンデマンドおよびオンデマンドメディアデータソースは別個である、双方向テレビジョンアプリケーションシステムでの使用のためのデータを検索する方法であって、
該非オンデマンドメディアデータを該非オンデマンドメディアソースから検索するステップと、
該オンデマンドメディアデータを該オンデマンドメディアソースから自動的に検索するステップと、
該オンデマンドメディアデータを自動的にキャッシュするステップと、
少なくとも該オンデマンドメディアデータにアクセスするユーザの指示に応答して、該オンデマンドメディアデータをキャッシュから表示するステップと、
少なくとも該非オンデマンドデータにアクセスするユーザの指示に応答して、該非オンデマンドメディアデータを表示するステップと
を包含する、方法。
【請求項２】  検索される前記非オンデマンドメディアデータは、テレビ番組リストデータのうちの少なくとも１つである、請求項１に記載の方法。
【請求項３】  検索される前記オンデマンドメディアデータは、ジャンルデータ、双方向テレビジョンアプリケーションソフトウェアデータ、ビデオオンデマンドリストデータ、オーディオオンデマンドリストデータ、双方向ビデオゲームリストデータ、気象データ、スポーツ統計データ、および株式市場データのうちの少なくとも１つである、請求項１に記載の方法。
【請求項４】  オンデマンドメディアリストのユーザ選択に応答して、オンデマンドメディアデータを前記オンデマンドメディアデータソースから検索するステップをさらに包含する、請求項１に記載の方法。
【請求項５】  非オンデマンドメディアデータおよびオンデマンドメディアデータを並行に表示するステップをさらに包含する、請求項１に記載の方法。
【請求項６】  非オンデマンドメディアデータは非オンデマンドメディアデータソースによって提供され、且つ、オンデマンドメディアデータはオンデマンドメディアデータソースによって提供され、該オンデマンドおよび該非オンデマンドメディアデータソースは別個である、双方向テレビジョンアプリケーションシステムでの使用のためのデータを検索するためのシステムであって、
該非オンデマンドメディアデータを該非オンデマンドメディアデータソースから検索する手段と、
該オンデマンドメディアデータを該オンデマンドメディアデータソースから自動的に検索する手段と、
該オンデマンドメディアデータを自動的にキャッシュする手段と、
少なくとも該オンデマンドメディアデータにアクセスするユーザ指示に応答して、該オンデマンドメディアデータをキャッシュから表示する手段と、
少なくとも該非オンデマンドデータにアクセスするユーザ指示に応答して、該非オンデマンドメディアデータを表示する手段と
を含む、システム。
【請求項７】  検索された前記非オンデマンドメディアデータは、テレビ番組リストデータである、請求項６に記載のシステム。
【請求項８】  検索された前記オンデマンドメディアデータは、ジャンルデータ、双方向テレビジョンアプリケーションソフトウェアデータ、ビデオオンデマンドリストデータ、オーディオオンデマンドリストデータ、双方向ビデオゲームリストデータ、気象データ、スポーツ統計データ、および株式市場データのうちの少なくとも１つである、請求項６に記載のシステム。
【請求項９】  オンデマンドメディアリストのユーザ選択に応答して、オンデマンドメディアデータを前記オンデマンドメディアデータソースから検索する手段をさらに含む、請求項６に記載のシステム。
【請求項１０】  非オンデマンドメディアデータおよびオンデマンドメディアデータを並行に表示する手段をさらに含む、請求項６に記載のシステム。
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
マルチメディアのオブジェクトを符号化する方法において、
ビット列を得るために前記オブジェクトを符号化するステップ、及び
前記ビット列又はその所与の部分における所与の位置に関して、前記オブジェクトの品質を示す品質情報を前記ビット列に加えるステップ、
を有する方法。
【請求項２】
前記符号化ステップは、スケーラブルビット列を得るためのスケーラブル符号化ステップである請求項１に記載の方法。
【請求項３】
前記品質情報は、オブジェクト再生品質に関する請求項１又は２に記載の方法。
【請求項４】
前記品質情報は、信号対雑音比の値に基づいている請求項３に記載の方法。
【請求項５】
前記ビット列は、前記ビット列における所与の位置の直後又は直前で切り捨てられるときに、前記オブジェクトの品質を示す品質タグが、前記ビット列における前記所与の位置に加えられる請求項１乃至４の何れか一項に記載の方法。
【請求項６】
前記品質情報は、所与のスケーラブル符号化規格の存在するフィールドに含まれる請求項１に記載の方法。
【請求項７】
前記スケーラブルビット列は幾つかのレイヤを含み、それぞれのレイヤは個々に品質情報を含んでいる請求項２に記載の方法。
【請求項８】
前記ビット列は暗号化され、前記品質情報は暗号化されていない請求項１に記載の方法。
【請求項９】
ビット列の品質情報が加えられたマルチメディアのオブジェクトを表す少なくとも１つのビット列を制御する方法であって、前記品質情報は、前記ビット列又はそれの所与の一部における所与の位置に関して、前記オブジェクトの品質を示し、前記方法は、
前記少なくとも１つのビット列を入力するステップ、
前記ビット列から前記品質情報を抽出するステップ、
前記少なくとも１つのビット列のビットレート及び品質の所望の組み合せが前記少なくとも１つの入力されたビット列のビットレート及び品質の現在の組み合せとは異なる場合、前記少なくとも１つのビット列をトランスコード又は切り捨てるステップ、及び
前記ビットレート及び品質の所望の組み合せで前記少なくとも１つのビット列を供給するステップを有する方法。
【請求項１０】
少なくとも１つのマルチメディアのオブジェクトを送信する方法であって、
ビット列を得るために前記オブジェクトを符号化するステップ、
前記ビットストリーム又はそれの所与の一部における所与の位置に関して、前記オブジェクトの品質を示す品質情報を前記ビット列に加えるステップ、及び
前記品質情報が加えられた前記ビット列を送信するステップ、
を有する方法。
【請求項１１】
ビット列の品質情報が加えられたマルチメディアのオブジェクトを表す少なくとも１つのビット列を入力する方法であって、前記品質情報は、前記ビット列又はそれの所与の一部における所与の位置に関して、前記オブジェクトの品質を示し、前記方法は、
前記ビット列から前記品質情報を抽出するステップ、
前記少なくとも１つのビット列のビットレート及び品質の所望の組み合せが前記少なくとも１つの入力されるビット列のビットレート及び品質の現在の組み合せとは異なる場合、前記少なくとも１つのビット列をトランスコード又は切り捨てるステップ、
前記ビットレート及び品質の所望の組み合せで前記少なくとも１つのビット列を供給するステップ、及び
前記ビット列及び品質の所望の組み合せで前記少なくとも１つのビット列を復号するステップ、
を有する方法。
【請求項１２】
ビット列の品質情報が加えられたマルチメディアのオブジェクトを表す少なくとも１つのビット列を入力する方法であって、前記品質情報は、前記ビット列又はそれの所与の一部における所与の位置に関して、前記オブジェクトの品質を示し、前記方法は、
前記ビット列から前記品質情報を抽出するステップ、
復号されたマルチメディアのオブジェクトを得るための前記ビット列を復号するステップ、及び
前記抽出された品質に依存して前記マルチメディアのオブジェクトを処理するステップ、
を有する方法。
【請求項１３】
マルチメディアのオブジェクトを符号化する装置であって、
ビット列を得るために前記オブジェクトを符号化する手段、及び
前記ビット列又はそれの所与の一部における所与の位置に関して、前記オブジェクトの品質を示す品質情報を前記ビット列に加える手段、
を有する装置。
【請求項１４】
請求項１３に記載の装置を有する送信器。
【請求項１５】
ビット列の品質情報が加えられたマルチメディアのオブジェクトを表す少なくとも１つのビット列を制御する制御器であって、前記品質情報は、前記ビット列又はそれの所与の一部における所与の位置に関して、前記オブジェクトの品質を示し、前記制御器は、
前記少なくとも１つのビット列を入力する手段、
前記ビット列から前記品質情報を抽出する手段、
前記少なくとも１つのビット列のビットレート及び品質の所望の組み合せが前記少なくとも１つの入力されるビット列のビットレート及び品質の現在の組み合せとは異なる場合、前記少なくとも１つのビット列を切り捨てる手段、及び
前記ビットレート及び品質の所望の組み合せで前記少なくとも１つのビット列を供給する手段、
を有する制御器。
【請求項１６】
請求項１５に記載の制御器を有する受信器。
【請求項１７】
ビット列の品質情報が加えられたマルチメディアのオブジェクトを表す少なくとも１つのビット列を入力する受信器であって、前記品質情報は、前記ビット列又はそれの所与の一部における所与の位置に関して、前記オブジェクトの品質を示し、前記受信器は、
前記ビット列から前記品質情報を抽出する手段、
復号されたマルチメディアのオブジェクトを得るために前記ビット列を復号する手段、及び
前記抽出された品質に依存して前記マルチメディアのオブジェクトを処理する手段、
を有する受信器。
【請求項１８】
請求項１５に記載の制御器を有するマルチプレクサ又はネットワークノード。
【請求項１９】
前記ビット列又はそれの所与の一部における所与の位置に関して、前記オブジェクトの品質を示すビット列の品質情報が加えられたマルチメディアのオブジェクトを示すビット列。
【請求項２０】
請求項１９に記載の信号が記憶された記憶媒体。
【手続補正２】
【補正対象書類名】明細書
【補正対象項目名】０００３
【補正方法】変更
【補正の内容】
【０００３】
このようなスケーラブルビット列の有用性は、符号化されたビット列をある所与のビットレート又はメモリサイズに適合させるとき、バッファ制御方法の必要性を実質的に削除することによりシステム設計を大幅に簡単にする。特に、同じ単一のビット列は、本来のデータを再符号化することを必要とせずに、異なる容量を持つ異なるチャンネルに同時に利用できる。従って、（インターネット又は無線通信チャンネルへの応用で）可変チャンネル容量へのリアルタイム適合は、非常に簡素化される。
【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】  メディアリストを構築して使用する方法であって、
広告を表示することと、
該広告に関連付けられたメディアのメディアリストへの追加を指定するための機会をユーザに提供することと、
選択のために該メディアリストを該ユーザに提示することと、
ユーザ選択に基づいて該メディアリストの１つのアイテムに対する該メディアを該メディアリストから取り出すことと
を包含する、方法。
【請求項２】  前記メディアあるいは該メディアに関連する製作物を購入するための機会を前記ユーザに提供することをさらに包含する、請求項１に記載の方法。
【請求項３】  前記ユーザに表示されるべき広告を対象とすることをさらに包含する、請求項１に記載の方法。
【請求項４】  ユーザ選択に基づいてプレビューを前記メディアリストから取り出して表示すること、または、ユーザ選択に基づいて予告編を該メディアリストから取り出して表示することをさらに包含する、請求項１に記載の方法。
【請求項５】  複数のユーザについての複数のメディアリストを提供することをさらに包含する、請求項１に記載の方法。
【請求項６】  前記ユーザに前記メディアの利用可能性を示すことと、
前記メディアリスト上の現在利用不可能なメディアを保持するための機会を前記ユーザに提供することと、
該メディアを見ることが可能になったとき該ユーザに通知することと
をさらに包含する、請求項１に記載の方法。
【請求項７】  ユーザ機器を含む装置であって、該装置は、
複数のビデオのうち１つを表示するための手段であって、該ビデオのうち少なくとも１つが、その制作物に対して特定のユーザがアクセス可能なメディアに関連付けられている製作物が示されるシーンを含む、手段と、
その制作物を含む該シーンのビデオが該ユーザに表示されるときに、該制作物に関連付けられている特定のユーザがアクセス可能なメディアのリストをメディアリストに追加するための手段と
を含む、装置。
【請求項８】  前記ユーザ機器は、前記制作物を含むビデオが表示されつつあるときに、前記ユーザが該制作物に興味を示すときにリストを追加するための手段と、該制作物を含むビデオが表示されつつあるときに、ユーザプロフィールに基づいてリストを自動的に追加するための手段とを有する、請求項７に記載の装置。
【請求項９】  前記ユーザ機器は、前記ユーザが前記リスト上のアイテムを選択することを可能にする前記メディアリストを表示するための手段と、特定のユーザアクセス可能なメディアに対応する該リスト上の１つのアイテムを前記ユーザが選択することに応答して、該特定のユーザアクセス可能なメディアを表示するための手段とを有する、請求項７に記載の装置。
【請求項１０】  前記ユーザ機器は、前記ユーザによる後のアクセスのために該ユーザに対して格納されたメディアのマスターリストになるための前記メディアリストを構築するための手段を有する、請求項７に記載の装置。
【請求項１１】  前記ユーザ機器は、テレビ番組のためのリスト、映画のためのリスト、ビデオオンデマンド番組のためのリスト、インターネットウェブサイトのためのリスト、双方向性の広告のためのリストおよびリマインダのためのリストを前記メディアリストに含む、請求項７に記載の装置。
【手続補正書】
【提出日】平成15年4月23日(2003.4.23)
【手続補正１】
【補正対象書類名】明細書
【補正対象項目名】特許請求の範囲
【補正方法】変更
【補正の内容】
【特許請求の範囲】
【請求項１】
各々が複数の節に再分割された互いに相続く複数の時間スロットに分割されたＣＤＭＡ通信信号を受信する受信機であって自動利得制御（ＡＧＣ）回路を有するＣＤＭＡ通信信号受信機に用いる高度化された時間スロット構成において、
前記時間スロットの先頭部に配置され電力レベル情報を前記自動利得制御（ＡＧＣ）回路に供給する２相位相偏移変調（ＢＰＳＫ）フォーマットのプリアンブルと、
前記時間スロットの中心に配置されたチャネル推算のためのミドアンブルと、
一対のデータバースト節と、
前記ミドアンブルと前記データバースト節の一方との間に各々が配置されている二つのトランスポートフォーマット組合せ標識（ＴＦＣＩ）節と
を含む時間スロット構成。
【請求項２】
前記プリアンブルが擬似ランダム系列であって、前記時間スロットの全てについて共通の系列である請求項１記載の時間スロット構成。
【請求項３】
時間スロット構造の通信信号を受信するＣＤＭＡ通信信号受信機における自動利得制御（ＡＧＣ）の方法において、
前記時間スロットの先頭部に配置されたプリアンブルの中の２相位相偏移変調（ＢＰＳＫ）されたシンボルの電力レベルを検出する過程と、
電力推算値を算定するように第１の期間にわたり前記シンボルの電力レベルの平均値を生ずる過程と、
前記信号の前記電力推算値を所定の電力基準値と比較する過程と、
前記比較に基づき誤差信号を算定する過程と、
前記通信信号の減衰量を調整する過程と
を含む方法。
【請求項４】
前記プリアンブルが擬似ランダム系列であって、前記時間スロットの全てについて共通の系列である請求項３記載の方法。
【手続補正書】
【提出日】平成14年6月10日(2002.6.10)
【手続補正１】
【補正対象書類名】明細書
【補正対象項目名】００１０
【補正方法】変更
【補正の内容】
【００１０】
図２を参照すると、ＵＥ２１１と現在通信中のノードＢ１（２０１）は、前記ＵＥ２１１に前記ＰＤＳＣＨ及び前記ＰＤＳＣＨに対応するＤＬ＿ＤＰＣＨを伝送する。しかしながら、ノードＢ２（２０３）は、前記ＵＥ２１１が前記ノードＢ１（２０１）と前記ノードＢ２（２０３）との間のＳＨＯ領域に移動する時、前記ＵＥ２１１に前記ＤＬ＿ＤＰＣＨのみを伝送する。前記ＵＥ２１１が前記ＳＨＯ領域に存在する場合、前記ＵＥ２１１に信号を伝送するように設定される全てのノードＢの集合を活性集合（Ａｃｔｉｖｅ ｓｅｔ）と称する。つまり、前記ノードＢ１（２０１）は、前記ＵＥ２１１に前記ＤＬ＿ＤＰＣＨ及びＰＤＳＣＨの両方ともを伝送し、前記ノードＢ２（２０３）は、新しく前記活性集合にはいることになり、前記ＤＬ＿ＤＰＣＨのみを前記ＵＥ２１１に伝送する。前記ＵＥ２１１は、前記ノードＢ１（２０１）及び前記ノードＢ２（２０３）に前記ＵＬ＿ＤＰＣＨを無差別に同報通信する。従来の技術において、前記ＵＥ２１１がＳＨＯ領域に進入すると、前記ＵＥ２１１は、前記ノードＢ１（２０１）及び前記ノードＢ２（２０３）からＣＰＩＣＨを受信し、前記ＣＰＩＣＨの信号強度を測定して前記ノードＢのうち第１ノードＢを選択する。前記ＵＥ２１１は、ＵＬ＿ＤＣＨのフィードバック情報（Ｆｅｅｄｂａｃｋ Ｉｎｆｏｒｍａｔｉｏｎ： 以下、ＦＢＩと称する）フィールドを通して１次（Ｐｒｉｍａｒｙ）ノードＢとして指定されたノードＢの臨時識別子を伝送する。前記ＦＢＩは、図示されたように、２フィールドの長さを有する。前記ＦＢＩフィールドのＳフィールドは、ＳＳＤＴ（Ｓｉｔｅ Ｓｅｌｅｃｔｉｏｎ Ｄｉｖｅｒｓｉｔｙ Ｔｒａｎｓｍｉｓｓｉｏｎ：以下、ＳＳＤＴと称する）を適用する時、前記ＵＥ２１１が前記ノードＢに伝送する。前記ＦＢＩのＤフィールドは、送信アンテナダイバーシティを適用する時、前記ＵＥがノードＢに伝送する。前記Ｓフィールド５０１は、０、１、または２ビットから構成される。前記Ｓフィールドが０ビットから構成される場合は、前記ＳＳＤＴが使用されないことを意味する。前記ＳＳＤＴが使用される場合、前記ＦＢＩフィールドは、１次ノードＢの臨時識別子を表現する符号語を伝送する。前記Ｄフィールド５０３は、０、１、または２ビットから構成される。前記Ｄフィールド５０３が０ビットから構成される場合は、送信アンテナダイバーシティが使用されないことを意味する。１ビットである場合は、前記送信アンテナダイバーシティが前記ＳＳＤＴと共に使用され、２ビットである場合は、送信アンテナダイバーシティのみが適用される。
【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】可変利得要素に制御信号を提供するためのリニアライザ回路であって、
入力信号を受信して指数関連信号を発生させる第１の回路と、
差動増幅器を有し、第１の回路に結合され、指数関連信号を受信して、この受信された指数関連信号に応答した制御信号を発生させる第２の回路とを具備し、
第２の回路は、可変利得要素内の利得回路とほぼ整合し、
差動増幅器は、共通点で一緒に結合する一対のトランジスタを有し、
指数関連信号の１つは、トランジスタの１つに提供され、指数関連信号の別のものは、共通点に提供される、リニアライザ回路。
【請求項２】指数関連信号の１つを提供されたトランジスタのベースおよびコレクタが共に結合される請求項１記載のリニアライザ回路。
【請求項３】第２の回路は、指数関連信号の１つを提供されたトランジスタのベースとコレクタとの間に結合されたバッファをさらに具備する請求項２記載のリニアライザ回路。
【請求項４】第２の回路は、差動増幅器の抵抗特性を可変利得要素内の利得回路の抵抗特性に整合させる差動増幅器に結合された１組の抵抗をさらに具備する請求項１記載のリニアライザ回路。
【請求項５】第２の回路は、１対のトランジスタのベースに結合された１組の抵抗をさらに具備する請求項１記載のリニアライザ回路。
【請求項６】第２の回路は、１対のトランジスタのエミッタに結合された１組の抵抗をさらに具備する請求項１記載のリニアライザ回路。
【請求項７】入力信号は、指数関連信号の比が温度変化に対してほぼ不変であるよう温度補償される請求項１記載のリニアライザ回路。
【請求項８】入力信号は連続的に調節可能である請求項１記載のリニアライザ回路。
【請求項９】入力信号は、個々のステップでさらに調節可能である請求項８記載のリニアライザ回路。
【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】  信号発生器であって、
第１の周波数における直交正弦波を、第２の周波数における第２の入力正弦波とともに受信しそして混合するように形成されている第１のミクサと、
第１の周波数における同相正弦波を第２の入力正弦波とともに受信しそして混合するように形成されている第２のミクサと、
第１のミクサと結合された第１の位相シフトネットワークと、なお第１の位相シフトネットワークは第１のミクサからの出力を受信し、そして第１の位相シフトされた信号を発生するように形成されており、
第２のミクサと結合された第２の位相シフトネットワークと、なお第２の位相シフトネットワークは第２のミクサからの出力を受信し、そして第２の位相シフトされた信号を発生するように形成されており、そして
第１および第２の位相シフトネットワークと組み合わせられた第１の加算器とを含み、なお第１の加算器は、第１の出力正弦波を発生するために、第１および第２の位相シフトされた信号を受信しそして加算するように形成されている、
信号発生器。
【請求項２】  さらに、第１の周波数における第１の入力正弦波を受信し、そして同相および直交正弦波を発生するように形成されている、第３の位相シフトネットワークを含む請求項１の発生器。
【請求項３】  それぞれの正弦波はディファレンシャル信号として与えられる請求項１の発生器。
【請求項４】  同相および直交正弦波は互いについてほぼ９０度位相が異なる請求項１の発生器。
【請求項５】  第１の位相シフトネットワークはさらに、第３の位相シフトされた信号を発生するように形成され、そして第２の位相シフトネットワークはさらに、第４の位相シフトされた信号を発生するように形成され、発生器はさらに
第１および第２の位相シフトネットワークに結合された第２の加算器を含み、なお第２の加算器は、第２の出力正弦波を発生するために、第３および第４の位相シフトされた信号を受信しそして加算するように形成されている、
請求項１の発生器。
【請求項６】  信号発生器であって、
第１の周波数における第１および第２の位相シフトされた正弦波を、第２の周波数における第２の入力正弦波とともにそれぞれ受信し、そして混合するよう形成されている第１および第２のギルバートセル乗算器と、そして
第１および第２のギルバートセル乗算器とそれぞれ結合された第１および第２の位相シフトネットワークとを含み、なお、第１および第２の位相シフトネットワークのそれぞれは、それぞれのギルバートセル乗算器からの出力を受信し、そして１組の位相シフトされた信号を発生するように形成されており、ここで第１および第２の位相シフトネットワークの出力は、第１および第２の出力正弦波を与えるために選択的に結合されている、
信号発生器。
【請求項７】  さらに、第１の周波数における第１の入力正弦波を受信し、第１の周波数における第１および第２の位相シフトされた正弦波を発生するように形成されている、第３の位相シフトネットワークを含む請求項６の発生器。
【請求項８】  第１および第２の位相シフトネットワークは、多相濾波器で実現されている、請求項６の発生器。
【請求項９】  正弦波を発生する方法であって、
第１の混合された信号を発生するために、第１の周波数における第１の直交正弦波を第２の周波数における第２の入力正弦波と混合し、
第２の混合された信号を発生するために、第１の周波数における第１の同相正弦波を第２の入力正弦波と混合し、
第１の同相信号および第１の直交信号を発生するために、第１の混合された信号を位相シフトし、
第２の同相信号および第２の直交信号を発生するために、第２の混合された信号を位相シフトし、そして
第１の出力正弦波を発生するために、第１の同相および直交信号、そして第２の直交および同相信号の選択的対を結合することを含む、
方法。
【請求項１０】  変調器であって、
変調された信号を与えるために、少なくとも１個のアナログ信号および少なくとも１個のアップコンバートされた正弦波を受信しそして混合するように形成された直接アップコンバータと、そして
直接アップコンバータに結合された正弦波発生器とを含み、該発生器は、
第１の周波数における直交正弦波を、第２の周波数における第２の入力正弦波とともに受信しそして混合するように形成されている第１のミクサと、
第１の周波数における同相正弦波を、第２の入力正弦波とともに受信しそして混合するように形成されている第２のミクサと、
第１のミクサと結合された第１の位相シフトネットワークと、なお第１の位相シフトネットワークは、第１のミクサからの出力を受信し、そして第１の位相シフトされた信号を発生するように形成されており、
第２のミクサと結合された第２の位相シフトネットワークと、なお第２の位相シフトネットワークは、第２のミクサからの出力を受信し、そして第２の位相シフトされた信号を発生するように形成されており、そして
第１および第２の位相シフトネットワークと結合された第１の加算器とを含み、なお第１の加算器は、第１のアップコンバートされた正弦波を発生するために、第１および第２の位相シフトされた信号を受信しそして加算するように形成されている、
変調器。
【請求項１１】  セルラ電話における送信機であって、
少なくとも１個のアナログ信号を受信するように形成されている少なくとも１個のバッファと、
少なくとも１個のバッファと動作的に結合された直接アップコンバータと、なおアップコンバータは、変調された信号を与えるために、少なくとも１個のアナログ信号を、少なくとも１個のアップコンバートされた正弦波とともに受信し、そして混合するように形成されており、
動作的に直接アップコンバータと結合された少なくとも１個の可変利得増幅器（ＶＧＡ）と、なおＶＧＡは、変調された信号を受信しそして増幅するように形成されており、そして
直接アップコンバータと結合された正弦波発生器とを含み、該発生器は
第１の周波数における直交正弦波を第２の周波数における第２の入力正弦波とともに受信しそして混合するように形成されている第１のミクサと、
第１の周波数における同相正弦波を第２の入力正弦波とともに受信しそして混合するように形成されている第２のミクサと、
第１のミクサと結合された第１の位相シフトネットワークと、なお第１の位相シフトネットワークは、第１のミクサからの出力を受信し、そして第１の位相シフトされた信号を発生しており、
第２のミクサと結合された第２の位相シフトネットワークと、なお第２の位相シフトネットワークは、第２のミクサからの出力を受信し、そして第２の位相シフトされた信号を発生しており、そして
第１および第２の位相シフトネットワークと結合された第１の加算器とを含み、なお第１の加算器は、第１のアップコンバート正弦波を発生するために、第１および第２の位相シフトされた信号を受信しそして加算するように形成されている、
送信機。
【誤訳訂正書】
【提出日】平成16年12月22日(2004.12.22)
【誤訳訂正１】
【訂正対象書類名】明細書
【訂正対象項目名】００２７
【訂正方法】変更
【訂正の内容】
【００２７】
現在既知のイントロンＡ及びレベトールの併用療法についての持続性ウイルス学的応答率、及び、（第二相試験から得られたデータに基づく）４８週間のＰＥＧ−ＩＦＮ−α２Ａ単独療法、及びＰＥＧ−ＩＦＮ−α２Ａ及びリバビリンについての持続性ウイルス学的応答率の推定値を下記に要約した。
【手続補正書】
【提出日】平成15年4月2日(2003.4.2)
【手続補正１】
【補正対象書類名】明細書
【補正対象項目名】特許請求の範囲
【補正方法】変更
【補正の内容】
【特許請求の範囲】
【請求項１】
ホルムアルデヒド、水及びメタノールを含有するホルムアルデヒド溶液から、このホルムアルデヒド溶液と比較して実質的に少量の水を含有するホルムアルデヒド含有生成物を分離する方法であって、水を同伴する化合物の存在下で前記ホルムアルデヒド溶液を蒸留し、それによって前記ホルムアルデヒド含有生成物をメタノールとの錯体として回収することを含む、ホルムアルデヒド、水及びメタノールを含有するホルムアルデヒド溶液からホルムアルデヒド含有生成物を分離する方法。
【請求項２】
前記ホルムアルデヒド溶液が、メタノールとホルムアルデヒドのモル比が０．３〜１．５：１になる量でメタノールを含有している、請求項１に記載の方法。
【請求項３】
蒸留の前に前記ホルムアルデヒド溶液を所定量のメタノールと予備混合して、メタノールとホルムアルデヒドのモル比が０．３〜１．５：１になるようにする、請求項２に記載の方法。
【請求項４】
水を同伴する前記化合物が、飽和又は不飽和のカルボン酸又はエステル又はカルボニル化合物を含む、請求項１〜３のいずれかに記載の方法。
【請求項５】
水を同伴する前記化合物が、メチルプロピオネート又はメチルメタクリレートを含む、請求項４に記載の方法。
【請求項６】
塔底における水を同伴する前記化合物とホルムアルデヒドとの比が、質量で５：１〜２０：１である、請求項１〜５のいずれかに記載の方法。
【請求項７】
前記ホルムアルデヒド溶液中に含まれる水の大部分を含む液体の測流を蒸留プロセスから引き出す、請求項１〜６のいずれかに記載の方法。
【請求項８】
更なる方法と組み合わせ、それによって前記ホルムアルデヒド含有生成物をこの更なる方法に直接に供給する、請求項１〜７のいずれかに記載の方法。
【請求項９】
前記更なる方法がメチルメタクリレートを製造する方法である、請求項８に記載の方法。
【請求項１０】
ホルムアルデヒド含有生成物であって、このホルムアルデヒド含有生成物よりも水の濃度が高い水性ホルムアルデヒド溶液原料を、水を同伴する化合物と共に蒸留することによって、前記水性ホルムアルデヒド溶液原料から製造される、ホルムアルデヒド含有生成物。
【請求項１１】
水を同伴する前記化合物が、飽和又は不飽和のカルボン酸又はエステルまたはカルボニル化合物を含有している、請求項１０に記載のホルムアルデヒド含有生成物。
【請求項１２】
水を同伴する前記化合物が、メチルプロピオネート又はメチルメタクリレートを含む、請求項１１に記載のホルムアルデヒド含有生成物。
【請求項１３】
前記水を同伴する化合物がメチルプロピオネートであり、且つ得られる前記ホルムアルデヒド含有生成物が、メタノール及び適当な触媒の存在下でメチルプロピオネートと反応して、メチルメタクリレートをもたらす、請求項１に記載の方法。
【請求項１４】
水を同伴する前記化合物及び前記ホルムアルデヒド含有生成物が、請求項１〜７のいずれかに記載の方法を含む更なる方法のための供給原料のベースとなる、請求項１〜７のいずれかに記載の方法を含む更なる方法のための供給原料を調製する方法。
【請求項１５】
水を同伴する前記化合物が、メチルプロピオネート又はメチルメタクリレートである、請求項１４に記載の方法。
【請求項１６】
前記更なる方法がメチルメタクリレートを製造する方法である、請求項１４又は１５に記載の方法。
【請求項１７】
前記更なる方法と請求項１〜７のいずれかに記載の方法とを組み合わせて、ホルムアルデヒド含有生成物を前記更なる方法に直接に供給する、請求項１４〜１６のいずれかに記載の方法。
【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】  血管中の個々の赤血球の動きを直接画像化し、分析するためのシステムであって、
少なくとも２つのフレームを製作するための少なくとも１つの同一赤血球の少なくとも１対の画像であって、各々の画像は予め設定された時間での前記フレームの各々における前記赤血球の位置のアナログ又はデジタル画像を表す画像を、予め設定された時間間隔内に取得するための画像化手段と、
機械読取り可能な形式でアナログ又はデジタル画像を収集および保存するための画像取得手段と、
前記少なくとも２つのフレームの処理、前記血管中の前記赤血球の動きの分析、ならびに前記画像化手段および前記画像取得手段の操作の制御のためのコンピューターとを含み、
前記画像化手段は、眼に対して完全に外部にある非侵襲的網膜画像化光学系であり、且つ、
前記コンピューターは、前記フレームに関して画像差分析を実施して、前記赤血球の動きから生じる動作信号を確定する手段を含むことを特徴とする、システム。
【請求項２】  前記画像化手段は、ＣＣＤカメラを含む請求項１記載のシステム。
【請求項３】  前記赤血球をそれらが画像化される時に照明するためのコンピューター制御フラッシュをさらに含む請求項１記載のシステム。
【請求項４】  前記コンピューター制御フラッシュは、前記ＣＣＤカメラと一緒に操作する前記網膜画像化光学系により画像化され且つ検出される網膜赤血球の動作に対して十分強い光である２つのほぼ同一のフラッシュを伝達するための手段であって、５〜１００ミリ秒の時間間隔内で光の前記フラッシュの両方を伝達し得る手段を含む前記請求項１〜３のいずれかに記載のシステム。
【請求項５】  逐次画像化中の赤血球の照明の変動を検出するための光学集成装置をさらに含む請求項１記載のシステム。
【請求項６】  取得画像および処理画像の表示、及び血管中の前記赤血球の動きの相互作用分析のために前記コンピューターに接続されるモニターをさらに含む請求項１記載のシステム。
【請求項７】  取得および処理画像をプリントするためのプリンターをさらに含む請求
項１記載のシステム。
【請求項８】  血管中の個々の赤血球の動きを直接画像化し、分析するための方法であって、
予め設定された時間間隔内に非侵襲的に取得された、少なくとも２つのフレームを製作するための少なくとも１つの同一赤血球の少なくとも１対の画像であって、各々の画像は予め設定された時間での前記フレームの各々における前記赤血球の位置のアナログ又はデジタル画像を表す画像を、機械読取り可能な形式で収集および保存して、前記画像をコンピューターに適用して処理を促進することと、
前記少なくとも２つのフレームに関して画像差分析を実施して、前記赤血球の動きから生じる動作信号を確定することと、
前記血管中の前記赤血球の動きの定量的測定値を出すこととによって特徴づけられる方法。
【請求項９】  前記時間間隔は、５〜１００ミリ秒である請求項８記載の方法。
【請求項１０】  複数のフレームを一緒にして平均してバックグラウンドブランクを構築し、そして前記少なくとも２つのフレームの各々から前記バックグラウンドブランクを差し引くことにより前記画像差分析が実施される請求項８記載の方法。
【請求項１１】  前記赤血球を保有する血管の動きを補正するための前記画像各々の全体的アライメントの予備ステップをさらに含む請求項８記載の方法。
【請求項１２】  前記フレーム間の照明小変動を補正するための前記フレームの画像明度の標準化の予備ステップをさらに含む請求項８記載の方法。
【請求項１３】  前記フレームの取得時に前記血管を照明することをさらに含む請求項８記載の方法。
【請求項１４】  前記画像および前記画像差分析から生じる動作信号により製作される画像を表示して、それらの相互作用分析を可能にするステップをさらに含む請求項８記載の方法。
【手続補正書】
【提出日】平成16年8月17日(2004.8.17)
【手続補正１】
【補正対象書類名】明細書
【補正対象項目名】０００４
【補正方法】変更
【補正の内容】
【０００４】
本発明によれば、互いに離れるように傾斜しているブラシ列が、ベルトまたはそれに類似するものに取り付けられるようにして、クリーニングデバイスが構成され得る。Ｖ字形に配置されている毛を平らにすることによって、この毛から油またはそれに類似するものが除去される。クリーニングデバイスの構成は、主に、ベルト用の溝を有する底板（ボトムプレート）と、底板に取り付けられた２つの対向するトラフと、トラフの上部に取り付けられたプラウとを含む。形状の点では、トラフは、尖った前部を有し、中央部にてより広くなり、後部で再び先細りするような、三日月状の曲がった構造を有し得る。
【手続補正２】
【補正対象書類名】明細書
【補正対象項目名】０００５
【補正方法】変更
【補正の内容】
【０００５】
トラフの壁は、部分的に内側に傾斜していてよい。２つの壁にてトラフのカバーに取り付けられている三角形のテーパー形状のプラウの前部は、曲がったブラシの形状に沿うように構成される。プラウ前部の開口部は、ブラシ列の長さおよびブラシの根元の間の距離に応じて種々の形状を有し得る。開口部につながって曲がった壁により、プラウは、除去された油を毛の間の何もない空間から完全に捕捉し、ブラシがトラフ間から前進するときにブラシ列がブラシと一緒に油を輸送しないようにすることができる。プラウの幅は、ブラシ列がクリーニングデバイスを出るときにプラウを滑らかに通過できるような幅にする必要がある。ベルトの溝の構造は、ベルトに付着する可能性がある異物を除去し、ブラシ列がクリーニングデバイスを滑らかに通過できるようにする必要がある。
【手続補正３】
【補正対象書類名】明細書
【補正対象項目名】０００６
【補正方法】変更
【補正の内容】
【０００６】
ベルトが溝を前進する間、ベルトに取り付けられたＶ字形のブラシ列の毛が列につき個別のトラフの壁に沿って移動し、これにより、毛のタフトがトラフの壁に対して平らになり、油が毛から分離するように、ブラシ列が前部からトラフ間を進行するようにして、毛から油が除去される。傾斜壁は、平らにされた毛のタフトを弓形に曲げ、これにより、それらの間に何もない空間が形成される。毛から除去された油は、何もない空間に排出され、そこからプラウが油を捕捉する。クリーニングデバイスの狭い部分を通過した後、ブラシ列は再びＶ字形に広がる。Ｖ字形のおかげで、ブラシ列はプラウを滑らかに通過し、新たな油を収集するためにトラフの屋根部を出る。トラフ・カバーおよびプラウの後部は、それらの端部が合わさって、油が油容器へと送られるようにつながっている。このようにして、毛から除去された全ての油が一箇所に集められる。ブラシ列をＶ字形に配置することによって、本発明のクリーニングデバイスに適合する効率的で滑らかに動作するブラシを提供することができる。このクリーニング法においては、毛のタフトの厚さ（または太さ）は重要ではないが、この方法は、収集システムが現在の性能要件に適合するような程度までタフトを増加させることが可能である。油の密度は粘度および油温度に基づいて決まることに留意すべきである。従って、上記の軽質油は、軽質燃料油を意味する必要は必ずしもなく、一般的に、より低い粘度を有する油を意味する。トラフの前方では、砕氷塊および異物を除去するためのフォークなどを組み込むことができる。複数のベルト列が所望であれば、クリーニングデバイスを並列に設けることが可能である。ブラシまたはブラシ列ならびにＶ字形ブラシ列（単数または複数）の構成は、種々のタイプであってよい。説明したトラフの代わりに、Ｖ字形ブラシ列が通過して移動できるような別のタイプのトラフを設けてよい。
【手続補正４】
【補正対象書類名】明細書
【補正対象項目名】００１５
【補正方法】変更
【補正の内容】
【００１５】
図４ａ〜４ｄは、クリーニングデバイスおよびＶ字形ブラシの構造の側面図を示す。クリーニングデバイス１は、ベルト溝９を有するベースプレートを主に含み、ベルト溝９に沿ってベルト７およびブラシがクリーニングデバイス１を通過する。２つのトラフ８などがベースプレートに取り付けられ、プラウがトラフの頂部に取り付けられる。
【手続補正５】
【補正対象書類名】明細書
【補正対象項目名】図面の簡単な説明
【補正方法】変更
【補正の内容】
【図面の簡単な説明】
【図１】  図１ａおよび図１ｂは、収集システムに取り付けられるクリーニングデバイスを示す。
【図２】  図２ａ〜２ｃは、クリーニングデバイスおよびＶ字形ブラシの上面図である。
【図３】  図３ａ〜３ｆは、クリーニングデバイスのＶ字形ブラシの前面図および背面図である。
【図４】  図４ａ〜４ｄは、クリーニングデバイスおよびＶ字形ブラシの構造の側面図を示す。
【手続補正書】
【提出日】平成16年10月7日(2004.10.7)
【手続補正１】
【補正対象書類名】明細書
【補正対象項目名】請求項２８
【補正方法】変更
【補正の内容】
【請求項２８】  １つまたはそれ以上の以下のもの：１つまたはそれ以上の請求項１記載の単離されたタンパク質、請求項１記載の単離されたタンパク質のフラグメント、アナログ、誘導体もしくは変異体、請求項１記載のタンパク質の多量体、請求項１記載のフラグメントの多量体、１つまたはそれ以上の請求項１記載のタンパク質を含んでなるキメラタンパク質、または請求項１記載のタンパク質のフラグメントを含んでなるキメラタンパク質を含んでなる、組織に接触させることにより哺乳動物の組織における血管形成活性を阻害するための医薬。
【手続補正２】
【補正対象書類名】明細書
【補正対象項目名】請求項２９
【補正方法】変更
【補正の内容】
【請求項２９】  該組織が、血管形成依存性癌、良性腫瘍、慢性関節リウマチ、糖尿病性網膜症、乾癬、眼血管形成疾患、オースラー−ウェーバー症候群、心筋血管形成、プラーク新血管形成、毛細管拡張症、血友病関節、血管腺維腫、創傷肉芽形成、腸管癒着、動脈硬化、強皮症、過形成性瘢痕、ネコひっかき病、ヘリコバクターピロリ潰瘍、透析移植片血管アクセス狭窄、不妊症、肥満からなる群より選ばれる疾患を有する個体の組織である、請求項２８記載の医薬。
【手続補正３】
【補正対象書類名】明細書
【補正対象項目名】請求項３０
【補正方法】変更
【補正の内容】
【請求項３０】  疾患が癌である請求項２９記載の医薬。
【手続補正４】
【補正対象書類名】明細書
【補正対象項目名】請求項３１
【補正方法】変更
【補正の内容】
【請求項３１】  血管形成活性を特徴とする疾患を有する個体に、放射線療法、化学療法、または免疫療法を組み合わせて投与される、請求項２８記載の医薬。
【手続補正書】
【提出日】平成15年7月7日(2003.7.7)
【手続補正１】
【補正対象書類名】明細書
【補正対象項目名】００３３
【補正方法】変更
【補正の内容】
【００３３】
Ｘ−ＡＯＭ生成物を申し分のない容易に取り扱われるコンシステンシーで生産するために計画された本発明のなお更なる別の態様において、先に製造されたＸ−ＡＯＭ（例えば、先の製造運転から生ずるＸ−ＡＯＭ）の供給を保持して、その方法の初期の段階で水、ＡＤＭ及び三酸化モリブデンと組合わせる。好ましくは、前述の利益を提供する目的と共に、Ｘ−ＡＯＭの全体密度を増加させることによりＸ−ＡＯＭ収率を改良し取り扱いやすいという特徴を提供する“種（seed）”機能を提供するこのような目的のために、先に説明した水性化学混合物の一部（その中にＸ−ＡＯＭを含有する）を使用する。次いで、得られる混合物を、先に説明したように（例えば、先に挙げたパラメータを用いて）加熱して、その中に付加的な量のＸ−ＡＯＭを含有する反応生成物を生じさせる。この特定的な開発は、漸進的又は非漸進的な成分添加を使用するかどうかにかかわらず本明細書中に示される態様の全てに適用可能であり、いかなる他の反応条件に限定されない。